(57)【要約】【課題】本発明の課題は、自然の現象である重力、弱い力、電磁気力、核力に至る連続した穏やかなエネルギー発生としての方法と装置を提供することにある。【解決手段】異四次元である移動空間での相互作用である、電磁気力、ポンプ、内燃機関、等の高入出力エネルギーに於いて遊星ワープモータを用いて当四次元に回帰させることを手段とし、核力に次ぐ高エネルギーを得る方法及び装置。【選択図】図１１
2007325487.tif 000002
【特許請求の範囲】
【請求項１】
四つのそれぞれが閉じた系である、重力、弱い力、電磁起力、核力のゲージ場のひとつ重力場内でのエネルギー普遍を、普遍を超える重力から核力にいたる連続した穏やかな自然のエネルギー発生方法として、四次元で閉じた系を超える等速移動する次高四次元のエネルギーを当四次元に回帰発生させる方法及び其の装置の基礎部分であるモータの回転子と固定子において、励磁磁鉄鉄心にコイルを巻回した装置を電機子と呼び、コイルを一方は電機子に流れる入力電流が交流電流であり、他方の電機子は上記交流電気により自己誘導発電される電流であることにおいて、この電流を出力電流として取り出す回路を具備する誘導モータ。モータ内の回路に整流装置回路を具備する誘導モータ。
【請求項２】
上記モータの自己誘導発電により発生する磁界を、上記交流電気電機子が横切るとき発生する二次自己誘導電流を、下記電機子の内部に電磁ソレノイドバルブを構築し、バルブをポンプとし、圧搾出力回路を具備し、かつソレノイドバルブに発生する上記電流を外部に取りだす電気回路を具備するソレノイドポンプ内蔵誘導モータ。
【請求項３】
上記モータの電流を発生するコイルと励磁磁鉄が永久磁石に置換されたソレノイドポンプ内蔵同期モータ。
【請求項４】
三次元方向と回転する時間を入れた四次元を合わせ持つ、電磁気力駆動機、発電機、あるいは固定子と回転子と相互作用するポンプ、内燃機関、これらモータの相互作用装置である固定子と回転子に於いて、固定子を外し出力軸回転子とし、回転子と出力軸回転子による相互移動空間の次高四次元エネルギー発生装置として構成する。上記回転子と出力軸回転子と新たな固定子とで構成される三重モータを、遊星歯車の内歯大歯車と遊星歯車支持装置と小歯車とそれぞれ一体とし、相互移動空間の次高四次元エネルギーを当四次元に回帰させる遊星歯車異次元瞬間力移動モータあるいは遊星ワープモータ。あるいは遊星ワープエンジン。あるいは遊星ワープポンプ。  これらを総称して遊星ワープモータとする。
【請求項５】
請求項２のソレノイドポンプ内蔵誘導モータをワープモータとして構成するソレノイドポンプ内蔵遊星ワープモータ。総称して遊星ワープモータ。
【請求項６】
請求項３のソレノイドポンプ内蔵同期モータをワープモータとして構成するソレノイドポンプ内蔵遊星ワープ同期モータ。総称して遊星ワープモータ。
【請求項７】
遊星多重ワープモータ固定子と回転子あるいは回転子同士を固定するブレーキを具備する遊星多重ワープモータ。総称して遊星ワープモータ
【請求項８】
遊星多重ワープモータの相互作用する固定子と回転子の回転子同士を経由し外部から入力、出力の、あるいはその両方の制御電気回路、あるいはそのすべての電気回路を具備し、エンジンの燃料供給回路、油圧オイル供給回路、空気圧回路それぞれか少なくとも一つを具備する遊星ワープモータ。
【請求項９】
入力が遊星ワープモータであり、出力が回帰モータであり、遊星ワープモータの出力軸回転子と出力モータの回転子が一体となり回帰中間子を形成する遊星四重ワープモータ。総称して遊星ワープモータ
【請求項１０】
遊星歯車郡の歯が無く替わりに摩擦面で動力伝達機構が構成される、ベアリングであり、少なくとも一つの回転面で一体となり、相互作用するモータを具備する歯無し遊星ワープモータ。総じて遊星ワープモータ。
【請求項１１】
遊星ワープモータの遊星歯車と遊星歯車支持装置の間にモータを具備する遊星ワープモータ。
【請求項１２】
遊星ワープモータの相互作用する面が円盤面でもある遊星ワープモータ
【請求項１３】
入力と出力とを具備する遊星ワープモータを連動させる多段遊星ワープモータ。多段方向が一次元方向か二次元円盤方向か、あるいその全てである三次元多段遊星ワープモータ。総称して遊星ワープモータ。
【発明の詳細な説明】
【発明の詳細な説明】
【技術分野】
【０００１】異四次元高エネルギー回帰装置に関する。
【背景技術】
【０００２】自然界では重力、弱い力、電磁気力、核力と言うそれぞれ相互作用しない系で閉じた四つの力が有る。エネルギー保存則で閉じた系を超える方法は、爆縮という形で発散する原子力以外を人類は知らない。核力の次のエネルギーであるはずの電磁気力も重力場での効率１を超えられないと言う不文律、エネルギー保存則の常識の中に埋没し、その持てるエネルギーを発揮できない。【０００３】駆動モータが駆動時、中で自己誘導発電する電気を利用する方法も誘導モータとして回転磁界を作る方法以外は知らない。【０００４】発電機が発電時発生する抗力が有効利用されないでいる。【０００５】一般的にモータの回転子と固定子の間の二次元面でのみ電磁気力を捕らえ、三次元空間で捕らえる概念も乏しい。【０００６】等速移動中の異四次元のエネルギーを利用する方法も未分化の世界である。一般的にモータの構造はすでに開発されつくしている、と言う一人よがりな思い上がりが世界を充満している。
【発明の開示】
【発明が解決しょうとする課題】
【０００７】電車が時速５０Ｋｍで移動している。この電車の上で、重さ１Ｋｇのボール速度が時速５０Ｋｍでキャッチボールをしている人がいる。線路と平行する道路上で同じく時速５０Ｋｍでキャッチボールをしている人がいる。電車の進行方向に投げた球が、路上のキャッチャーに届いたとすると、この人は時速１００Ｋｍで１Ｋｇのボールを受け取る。エネルギーは速度の二乗ですから４倍の増幅したエネルギーを受け取ります。等速運動をしている物体からエネルギーを受け取ると、同様な状態になります。上記等速運動する異四次元の高ネルギーを停止している当四次元に受け取る方法装置を提供するのが本発明の大きな課題です。
【０００８】そのためのさまざまな小さな課題として、電機子のコイル有効利用度を上げるのも第一の課題としている。
【０００９】駆動モータの自己誘導発電抵抗を少なくし有効利用することも第二の課題としている。
【００１０】同期モータの自己誘導発電を電力として有効利用し、取り出すことを、第三の課題としている。
【００１１】遊星ワープモータの自己誘導発電を有効利用することを第四の課題としている。
【００１２】誘導モータで構成される、遊星ワープモータの自己誘導発電をポンプとして有効利用することを第五の課題としている。
【００１３】同期モータで構成される遊星ワープモータの自己誘導発電をポンプとして有効利用することを第六の課題としている。
【００１４】遊星多重ワープモータの回転制御を第七の課題としている。
【００１５】遊星ワープモータの少なくとも一つの回転体へ電気、燃料、液体、気体の入出を第八の課題としている。
【００１６】入力と出力の遊星ワープモータの小型化を第九の課題としている。
【００１７】遊星ワープモータの歯車の抵抗騒音を少なくすし有効利用することを第十の課題としている。
【００１８】遊星歯車のモータとしての有効利用を第十一の課題としている。
【００１９】遊星ワープモータの円盤面の有効利用第十二の課題としている。
【００２０】多段遊星ワープモータの構築を第十三の課題としている。
【課題を解決する為の手段】
【００２１】第一の課題を解決するための請求項１、の手段はモータの固定子を外し出力軸回転子とする、ワープモータを用いることが基本であり、この互いに回転する回転子と出力軸回転子との間で発生する電磁気力を固定子の次元にどう回帰させるかと言うのが具体的な課題である。出力回帰は、一つは発電電力として回帰させ、他の一つは駆動力を出力軸回転子で回帰させる。あるいはその両方である。入力は一つには、誘導モータの固定子電機子による誘導電力で回転子か籠内の閉鎖回路で発生する電力と回転子励磁時鉄による磁力で構成する誘導モータの閉鎖回路の電力を開放し外に取り出すことを手段とする。これを発電機内蔵駆動モータと名付ける。
【００２２】電機子コイル有効利用をするためである第二の課題を解決するための請求項２、の手段は、電機子コイル内にさらに自己誘導発電の電力を捕らえるためのソレノイドコイルとピストンおよびポンプを具備することを手段とする。
【００２３】モータの自己誘導発電抵抗を有効利用するための第三の課題を解決するための請求項３の手段は。一方の回転子が永久磁石で他方の回転子電機子内部に、さらにソレノイドコイルを具備することを手段とする。
【００２４】遊星ワープモータの電磁気力以外の動力有効利用方法である第四の課題を解決するための請求項４の手段としてあらゆる相互作用をする内燃機関、エンジン、ポンプ、タービン、ジェットエンジンの固定子をはずし、出力軸回転子とする、ワープモータとして具現することを手段とする。このワープモータを元に、新たに設ける固定子と共に三重モータとし、遊星歯車とそれぞれを一体化し、遊星ワープモータとして構成することを手段とする。
【００２５】第五の課題である遊星ワープ誘導モータ内で発生する自己誘導発電を有効利用するための請求項５の手段は、誘導モータ励磁磁鉄内にさらにソレノイドコイルとピストンを備えた上記誘導モータでワープモータを構成し、さらに上記遊星歯車と一体とする、ソレノイドポンプ内蔵遊星ワープモータを構成することを手段とする。
【００２６】第六の課題である遊星ワープ同期モータ内の自己誘導発電抵抗を有効利用するための請求項６の手段は上記ソレノイドポンプ内蔵遊星ワープモータのワープモータが永久磁石を使用する同期モータである、ソレノイドポンプ内蔵遊星ワープ同期モータを構成することを手段とする。
【００２７】第七の課題である遊星多重ワープモータの回転制御する請求項７の手段は、固定子と回転子、回転子と他方の回転子同士を固定するブレーキを具備することを手段とする。
【００２８】第八の課題である遊星ワープモータの少なくとも一つの回転子への電気、燃料、油、空気の供給と出力を行う請求項８の手段は、回転子の軸を経由して固定子と結ぶ回路を構築するか、回転子同子の軸を経由して回路を構築し、又そのいずれか、あるいは両方であることを手段とする。
【００２９】第九の課題である入力と出力装置の小型化を図る請求項９の手段は、遊星ワープモータを駆動入力とし、ワープモータの一方の出力軸回転子と固定子の間に相互作用をする出力モータである回帰モータを具備することを手段とする。
【００３０】第十の課題である遊星ワープモータの歯車の騒音と抵抗を少なくすると共に有効利用する請求項１０の手段は、歯車の歯を無くし接触面を円錐面、円筒面、球面とベアリングとすることを手段としている。
【００３１】第十一の課題である遊星ワープモータの歯車の有効利用である請求項１１の手段は、歯車と歯車支持装置の間に相互作用するモータを具備することを手段とする。
【００３２】第十二の課題である遊星ワープモータの相互作用する面が円盤面でもある遊星ワープモータの請求項第十二の手段は、円盤面にモータを構築し、少なくとも円周面のモータいずれか一方かその両方であることを手段とする。
【００３３】第十三の課題である多段遊星ワープモータの構築である請求項１３の手段は、入力と出力を具備する遊星ワープモータを、一つは一次元方向に多段であり、他方は二次元円盤方向に多段であり、あるいはその両方である三次元方向に多段であることを手段とする。
【発明の効果】
【００３４】      本発明の効果は、激しい爆縮により発生する核力に変わる、等速移動空間で行われる穏やかな相互作用であるが移動空間の高エネルギーをも内在する、電磁気力、燃焼、ポンプのエネルギーを、固定空間に核力に変わる高エネルギーとして出力回帰させる効果がある
【発明を実施するための最良の形態】
【００３５】以下図面を用いて本発明を実施する最良の方法を説明する。
【実施の形態１】
【００３６】実施の形態１のモータ１にかかる電気回路及び装置は、図１において示される。固定子２の電機子２７に交流電気を通電し、回転磁界を発生させ、回転子４の電機子２８コイル３２に磁界が変化し横切り電磁気力を発生させる。このとき発生する、脈動直流電流は出力電気回路９を経過してモータ外部に取り出す発電機内蔵誘導モータ。固定子と回転子を変えても同様になる。誘導モータ内自己誘導発電は従来かごと言う閉鎖回路内で発熱と言う自己消費をしていたのが、閉鎖回路から出力電気回路とすることで電力の有効量が可能となる効果がある。
【００３７】実施の形態２にかかる電気回路及び流体回路は図１において示される。回転子電機子励磁磁鉄内にソレノイドコイル２４と励磁磁鉄ピストン２９を具備し、固定子磁界をソレノイドコイル２４が横切るとき発生する電流により、ピストン２９を動かす。あるいは回転子４に交番電流を流し、永久磁石で出来たピストンを稼動させる。あるいは固定子誘導コイル３２により発生する磁界を、回転子電機子２８コイルが横切るときに発生する二次自己誘導発電電流をソレノイドコイルから電気回路９を経て有効交流電流として取り出すと共に流体圧ポンプとしても稼動するソレノイドポンプ内蔵誘導モータ。回転子と固定子が交換しても差し障りはない。これにより二次自己誘導発電も有効エネルギーとして利用できる効果がある。
【００３８】実施の形態３にかかるソレノイドポンプ内蔵同期モータは図２において示される。回転子電機子励磁磁鉄内１５にソレノイドコイルポンプを装着してある。固定子２の永久磁石１３を回転子４が横切るときにソレノイドコイルポンプのソレノイドコイル２４に交番電流が発生する。上記電流は出力電気回路９を経過して外部に取り出すことが容易だ。ピストン２９は励磁磁鉄か永久磁石どちらでも良い。このピストンによる流体圧力も流体圧力回路１４を経て有効利用が可能となった効果がある。
【００３９】実施の形態４にかかる遊星ワープモータは図３において説明される。相互作用するモータ、エンジンポンプ、あるいはすべての相互作用する物体の固定子２をはずし出力軸回転子５としワープモータを構成し、回転子４と出力軸回転子５と新たに設けた固定子２で構成される三重モータの三種の部材と遊星歯車の内歯大歯車１８と遊星歯車支持装置１９であるプラネタリュウムと小歯車である太陽歯車２０の三部材をそれぞれ一体とし遊星ワープモータを構成する。これにより移動空間の相互作用を当固定空間に回帰可能となり、異次元高エネルギーを得る効果が可能となった。
【００４０】実施の形態５にかかるソレノイドコイル内蔵遊星ワープモータは図４において説明される。太陽歯車２０側を固定子２とし、相互作用する遊星ワープモータは出力軸回転子５をプラネタリュウム側とし、回転子４を１８内歯大歯車とする。固定子と出力軸回転子との間にモータを具備し相互作用させる。出力軸回転子５の磁束が固定子２の電機子２７コイル３２を横切るときに発生する電気は出力電気回９路を経由して外に取り出す。固定子電機子内にソレノイドコイル２４ポンプを装着してあり、上記と同様にソレノイドコイル内に発生する電気は出力電気回路９を経て外部に取り出す。この際発生する磁力でソレノイドコイルポンプ内のピストン２９が稼動し、流体を加圧する。この加圧された流体を、流体圧回路１４を経て外部に出力として取り出す。ワープモータの入力時相互作用する面の差速とモータの差速は、内歯大歯車１８と小歯車である太陽歯車２０との歯数差であるため、トルクは同じであることに於いて、その差により高出力エネルギー効果がある。
【００４１】実施の形態６にかかるソレノイドコイル内蔵遊星ワープ同期モータは図４において説明される。相互作用するワープモータ回転子４が永久磁石１３で出力軸回転子が電機子２７コイル３２で構成され、その内径側に回帰モータが構成され、回帰モータ回転子と出力軸回転子は円周の表裏で一体となる中間子を形成している。回帰モータ固定子２には電機子２７が具備され、電機子２７の中にはソレノイドコイル２４とピストン２９が具備されている。ピストンは励磁時鉄でも永久磁石でも良い。
【００４２】実施の形態７にかかるブレーキ内蔵遊星ワープモータは図５における遊星ワープモータにおいて説明される。上記遊星ワープモータ固定子２は回転中心軸３を形成している。この固定子軸は固定子フレーム底板４０とベアリング４１を解して回転可能な状態にあり、各回転軸には、フレーム底板４０と固定されるようにブレーキ７が具備されている。これにより遊星歯車と一体となった各々相互作用するモータ回転子４を固定子２とすることが可能となる。これにより入出力を制御可能とする効果がある。
【００４３】実施の形態８、９にかかる遊星多重ワープモータの出入力制御回路は図７における遊星四重ワープモータにおいて説明される。遊星ワープモータの外側の二段目モータ回転子４２と遊星モータ出力軸回転子５は表裏一体となり中間子２６を形成している。二段目モータの他方は二段目出力軸回転子４３を形成している。二段目出力軸回転子の外側回帰モータ固定子２には電機子２７とソレノイドポンプが形成され、流体出入力回路１４とソレノイドコイル制御用電気回路が具備されている。二段目出力軸回転子４３は回帰モータである三段目回転子４４と表裏一体となり、回帰中間子４５を形成している。それぞれの回転子は固定子とブレーキで所望とおりに自在に固定されるよう構築されている。それぞれの回転子軸には入出力制御用電気回路が具備されている。出力軸回転子と中間子の間にも一体とするブレーキ４６が装着されている。
【００４４】実施の形態１０にかかる遊星歯車の歯面については、図６の遊星ワープモータ歯車について述べる。歯車の歯を無くし、代わりに凹凸円錐面での摩擦による動力伝達方式とする。円錘面での面圧を保つために、スプリング２２を具備する。スプリングの変わりに永久磁石吸引、あるいは反発でも良い。これにより遊星歯車の振動騒音を減じる効果がある。又遊星ベアリングとすることでベアリングの数を減じる効果がある。摩擦面としては、円錐面のほかに、円筒面、球面がある。
【００４５】実施の形態１１にかかる遊星歯車のモータとしての利用については図７の遊星ワープモータで述べる。遊星歯車２１と遊星歯車支持装置１９との間にモータ２７を構築する。図７においては遊星歯車円盤面と遊星歯車支持装置の間に相互作用すべくモータ２７が構築されている。これにより歯車の回転をモータに有効利用できるモータの小型化に効果がある。
【００４６】実施の形態１２にかかる遊星ワープモータ円盤面の両方についての有効利用は図１２に於いて述べる。図１２においては遊星歯車支持装置１９であるドーナツ状円盤上と固定子２に構築された円盤上に相互作用するモータ２７が構築されている、モータ２７は互いに差速の出来る円盤面であればどこでも構築しても良い。遊星ワープモータの小型化に効果がある。
【００４７】実施の形態１３にかかる入力と出力を具備し連動する遊星ワープモータを三次元多段とする多段遊星ワープモータは図８、９，１０，１１，１２において記述される。図８は遊星ワープモータの内歯大歯車１８と一体となる出力軸回転子５と固定子２の間で相互作用する流体ポンプ４８を具備したものである。出力軸回転子５は回帰モータ回転子を兼ねる回帰中間子４５を形成している。回帰中間子は流体ポンプピストンを可動させるクランク４９を具備している。固定子２には流体ポンプのシリンダー５０を具備し出入力流体回路１４を具備している。遊星ワープモータで駆動されたクランクにより流体圧ポンプは流体を出入力する。遊星ワープ電動流体圧ポンプと呼べる装置である。第９図は遊星ワープモータの相互作用するエンジンが流体圧ポンプで構築されているものである。シリンダーには発火装置としてプラグが取り付けてあり、発火制御回路が回転子軸を経由し、外部に繋がるよう具備されている。入出流体圧回路はガソリンエンジンであれば、入りはガソリンが（図示しないが）キャブレターにより気化された気体であり、出は排気ガスである。出力は、出力軸回転子により回転力として出力される遊星ワープエンジンと呼べる装置である。
【００４８】出入力が流体圧のみのものは遊星ワープポンプと呼べるものである。図１０は上記遊星ワープモータにさらに固定子２と回転子４の間に流体ポンプを具備したものであり、ブレーキ７により、回転子４と出力軸回転子５と固定子とを所望により変え、制御が出来るように具備されている。遊星ワープポンプである。
【００４９】図１１は遊星ワープ電動流体ポン図８と遊星ワープポンプ図９を一次元方向に多段に構築したものである。三次元多段遊星ワープモータと呼べるものである。
【００５０】図１２は遊星ワープモータ図３を二次元方向に多段にしたものである。この二次元多段遊星ワープモータは所望の段数が可能である。原子力に変わるエネルギーを得る効果がある。
【００５１】実施の形態から図１０と図３とを用いて流体圧モータポンプと電磁気力の関係を述べてみる。ポンプピストン段面積を１０Ａとする。ストローク１Ａとする。回転数１０Ａとする。ピストンの単位力を１０Ａ×Ｒ＝１Ａ・｛単位記号（１／１０＝抵抗成分）Ｒ）とする。エネルギーは１００・Ａ三乗×（１／１０）Ｒ＝１０・Ａ三乗・Ｒとする。上記ポンプをワープポンプとし遊星歯車に装着する。遊星歯車の歯車比を１：１０とする。回転数に対応する回転差速数は１Ａとなる。単位力は変わらず同じ１Ａの×Ｒ＝１｛単位記号Ａ・（１＝抵抗成分）Ｒ）｝と単位力における抵抗成分が自動的に歯車比である１０倍になる。流量と圧の堰での投入可能なエネルギーは１０・Ａの三乗×（１／１０＝抵抗成分）Ｒ＝１Ａの三乗・Ｒである。これしか入っていかない。
【００５２】遊星ワープモータを入力として、入力エネルギーは１Ａ三乗・Ｒである。出力をポンプとする実際の出力エネルギーは１０・Ａ三乗・Ｒ＝１Ａの三乗×｛１／０．１（面積成分）Ｒである。記号を電磁気力記号と考え、面積と単位圧力の積Ａ・Ｒが単位力であるとすると、遊星ワープモータとしたとき、移動空間内では自動的に歯車比だけ抵抗成分が１０倍に変わるように固定空間では見える。あるいはポンプ圧が面積成分だけ１０倍になる。これは移動する物体のエネルギーにかかわり無く、移動空間上では相互作用が行われる。遊星ワープモータはこの等速移動する相互作用のエネルギーを、固定側に移動エネルギーを印加して回帰させる効果がある。
【図面の簡単な説明】
【００５３】
【図１】は実施の形態１、２にかかる電気回路、及び流体回路及びその装置にかかる縦断面図である。
【図２】は実施の形態３にかかるソレノイドポンプ内蔵同期モータの装置にかかる縦断面図である。
【図３】は実施の形態４、５、にかかるソレノイドコイル内蔵遊星ワープモータの装置にかかる縦断面図である。
【図４】は実施の形態６にかかるソレノイドコイル内蔵ワープ同期モータの縦断面図である
【図５】は実施の形態７にかかるブレーキ内蔵遊星ワープモータの縦断面図
【図６】は実施の形態１０にかかる遊星歯車の歯面についての装置の縦断面図である。
【図７】は実施の形態８，９、１１にかかる遊星多重ワープモータの出入力制御回路及びモータにかかる装置の縦断面図である。
【図８】は実施の形態１３にかかる多段遊星ワープモータにかかる装置の縦断面図である。
【図９】は実施の形態１３にかかる遊星ワープエンジンにかかる装置の縦断面図である。
【図１０】は実施の形態１３にかかる遊星ワープポンプの縦断面図である。
【図１１】は実施の形態１３にかかる三次元多段遊星ワープモータの断面図である。
【図１２】は実施の形態１３にかかる二次元多段遊星ワープモータの断面図である。
【符号の説明】
【００５４】１．…モータ
２．…固定子
３．…軸
４．…回転子
５．３６．…出力軸回転子
６．…ワープモータ
７．…ブレーキ
８．…入力電気回路
９．…出力電気回路
１０．…制御用電気回路
１１．３４．…ブラシ
１２．３５．…スリップリング
１３．…永久磁石
１４．…流体圧回路
１５．３３．…励磁時鉄
１６．…誘導磁石
１７．…遊星ワープモータ
１８．…内歯大歯車
１９．…遊星歯車支持装置
２０．…太陽歯車
２１．…遊星歯車歯面
２２．…スプリング
２３．…電磁ジャッキ
２４．…ソレノイドコイル
２５．…遊星四重ワープモータ
２６．…中間子
２７．２８．…電機子
２９．…ピストン
３１．…発電機内蔵モータ
３２．…コイル
３７．…発電機出力回路
３８．…環状励磁時鉄
３９．…磁極
４０．…フレーム底板
４１．…ベアリング
４２．…二段目モータ回転子
４３．…二段目モータ出力軸回転子
４４．…三段目回転子
４５．…回帰中間子
４６．…ブレーキ
４７．…モータ
４８．…流体ポンプ
４９．…クランク
５０．…シリンダー
５１．…プラグ
５２．…発火制御回路
５３．…三段目出力軸回転子
５４．…四段目回転子
【図１】
2007325487.tif 000003
【図２】
2007325487.tif 000004
【図３】
2007325487.tif 000005
【図４】
2007325487.tif 000006
【図５】
2007325487.tif 000007
【図６】
2007325487.tif 000008
【図７】
2007325487.tif 000009
【図８】
2007325487.tif 000010
【図９】
2007325487.tif 000011
【図１０】
2007325487.tif 000012
【図１１】
2007325487.tif 000013
【図１２】
2007325487.tif 000014